(57)【要約】【課題】洗濯機本体の上部に設けた操作パネル部の内方に制御装置を固定した洗濯機において、操作パネル部の内方に制御装置を取り付ける際に、ねじ固定を廃止し、生産性を向上してコストを低減する。【解決手段】洗濯機本体の上部を覆う上部枠体１４の一部を操作パネル部１６により覆い、この操作パネル部１４の内方に制御装置２１を設ける。制御装置２１は、制御基板２２とこの制御基板２２を内部に収納する制御基板収納容器２３とを有し、制御基板収納容器２３の外周面に少なくとも一部に鍔部２４を設ける。鍔部２４を上部枠体１４に設けた第１の支持部２５と操作パネル部１６に設けた第２の支持部２６とにより挟持し、制御装置２１を固定するよう構成する。【選択図】　図１
2004081650.tif 000002
【特許請求の範囲】
【請求項１】
洗濯機本体と、この洗濯機本体の上部を覆う上部枠体と、この上部枠体の一部を覆う操作パネル部と、この操作パネル部の内方に設けた制御装置とを備え、前記制御装置は、制御基板とこの制御基板を内部に収納する制御基板収納容器とを有し、前記制御基板収納容器の外周面に少なくとも一部に鍔部を設け、前記鍔部を前記上部枠体に設けた第１の支持部と前記操作パネル部に設けた第２の支持部とにより挟持し、前記制御装置を固定するよう構成した洗濯機。
【請求項２】
第１の支持部は、少なくとも一部を上部枠体に設けたリブで構成した請求項１記載の洗濯機。
【請求項３】
第２の支持部は、少なくとも一部を操作パネル部に設けたリブで構成した請求項１記載の洗濯機。
【請求項４】
制御装置は、操作パネル部に仮止めするよう構成した請求項１〜３のいずれか１項に記載の洗濯機。
【請求項５】
操作パネル部は爪部を有し、前記爪部を制御装置の外周部に係止して制御装置を操作パネル部に仮止めするよう構成した洗濯機４記載の洗濯機。
【発明の詳細な説明】
【０００１】
【発明の属する技術分野】
本発明は、洗濯機本体の上部に設けた操作パネル部の内方に制御装置を固定した洗濯機に関するものである。
【０００２】
【従来の技術】
従来、この種の洗濯機は図６および図７に示すような構成が一般的であった。以下、その構成について説明する。
【０００３】
図６および図７に示すように、洗濯機本体１は、内部に洗濯槽２を支持し、この洗濯機本体１の上部に上部枠体３を装着し、上部枠体３の略中央部に衣類投入口４を形成し、蓋５で覆っている。また、上部枠体３の後部に電磁給水弁６と、注水口部材７を内蔵し、後方パネル部材８で覆っている。
【０００４】
また、上部枠体３の前部に、プリント基板収納部９を形成し、このプリント基板収納部９を上方より覆設し、かつボタン１０を有する操作パネル部１１を設け、この操作パネル部１１の裏面にスイッチ等を有する制御装置１２をねじ固定して装着している。
【０００５】
また、上部枠体３には漂白剤などの洗濯用補助剤を投入する洗濯用補助剤投入口１３を形成している。
【０００６】
【発明が解決しようとする課題】
このような従来の構成では、上部枠体３の前部にプリント基板収納部９を形成し、操作パネル部１１の裏面にボスを設け、スイッチを有する制御装置１２をねじ止め固定した後、上部枠体３に取付けるため工数が増え、コストを削減することができないという問題を有していた。
【０００７】
本発明は上記従来の課題を解決するもので、操作パネル部の内方に制御装置を取り付ける際に、ねじ固定を廃止し、生産性を向上してコストを低減することを目的としている。
【０００８】
【課題を解決するための手段】
本発明は上記目的を達成するために、洗濯機本体の上部を覆う上部枠体の一部を操作パネル部により覆い、この操作パネル部の内方に制御装置を設け、制御装置は、制御基板とこの制御基板を内部に収納する制御基板収納容器とを有し、制御基板収納容器の外周面に少なくとも一部に鍔部を設け、鍔部を上部枠体に設けた第１の支持部と操作パネル部に設けた第２の支持部とにより挟持し、制御装置を固定するよう構成したものである。
【０００９】
これにより、操作パネル部の内方に制御装置を取り付ける際に、操作パネル部と上部枠体間に制御装置を挟み込んで固定することができ、ねじ固定を廃止できて、生産性を向上してコストを低減することができる。
【００１０】
【発明の実施の形態】
本発明の請求項１に記載の発明は、洗濯機本体と、この洗濯機本体の上部を覆う上部枠体と、この上部枠体の一部を覆う操作パネル部と、この操作パネル部の内方に設けた制御装置とを備え、前記制御装置は、制御基板とこの制御基板を内部に収納する制御基板収納容器とを有し、前記制御基板収納容器の外周面に少なくとも一部に鍔部を設け、前記鍔部を前記上部枠体に設けた第１の支持部と前記操作パネル部に設けた第２の支持部とにより挟持し、前記制御装置を固定するよう構成したものであり、操作パネル部の内方に制御装置を取り付ける際に、操作パネル部と上部枠体間に制御装置を挟み込んで固定することができ、ねじ固定を廃止できて、生産性を向上してコストを低減することができる。
【００１１】
請求項２に記載の発明は、上記請求項１に記載の発明において、第１の支持部は、少なくとも一部を上部枠体に設けたリブで構成したものであり、制御装置を上部枠体と操作パネル部の間に挟持させるとき、上部枠体に設けたリブにより、がたつきを最小限に抑えることができ、組立性を向上することができてコストを低減することができる。
【００１２】
請求項３に記載の発明は、上記請求項１または２に記載の発明において、第２の支持部は、少なくとも一部を操作パネル部に設けたリブで構成したものであり、操作パネル部に設けたリブにより、制御装置を上部枠体により確実に固定あるいは押さえ込むことができ、操作性や組立性を向上することができる。
【００１３】
請求項４に記載の発明は、上記請求項１〜３に記載の発明において、制御装置は、操作パネル部に仮止めするよう構成したものであり、制御装置を仮止めした状態で制御装置の位置決めと固定ができて、操作パネルを上部枠体に容易に取り付けることができ、生産性を向上できてコストを低減することができる。
【００１４】
請求項５に記載の発明は、上記請求項４に記載の発明において、操作パネル部は爪部を有し、前記爪部を制御装置の外周部に係止して制御装置を操作パネル部に仮止めするよう構成したものであり、制御装置の位置決めと固定ができて、操作パネル部と上部枠体との間に制御装置を挟み込むことが容易となり、ねじ固定を廃止することができ、生産性を向上してコストを低減することができる。
【００１５】
【実施例】
以下、本発明の実施例について、図面を参照しながら説明する。なお、従来例と同じ構成のものは同一符号を付して説明を省略する。
【００１６】
（実施例１）
図２に示すように、上部枠体１４は、洗濯機本体１の上部を覆い、洗濯用補助剤投入口１３と、蓋ロック用の操作部材の取付孔１５を形成している。操作パネル部１６ａ、１６ｂは、製品仕様に応じて、いずれかを上部枠体１４の上部に取り付けるもので、操作パネル部１６ａは、蓋ロック用の操作部材の取付孔１５に連通する第１の連通孔１７を有し、操作パネル部１６ｂは、洗濯用補助剤投入口１３に連通する第２の連通孔１８を有している。
【００１７】
上部枠体１４の後方には、柔軟剤や予約時の液体洗剤を収納するケース１９を設けている。また、上部枠体１４は、図３に示すように、注水口２０も取付け可能としている。
【００１８】
上記構成において、柔軟剤や予約時の液体洗剤を収納するケース１９を設けるタイプの機種の場合、洗濯用補助剤投入口１４が不必要となるため、それを覆うように操作パネル部１６ａを制御装置２１とともに上部枠体１４に取り付ける。
【００１９】
また、柔軟剤や予約時の液体洗剤を収納するケース１９を設けず、洗濯用補助剤投入口１４から直接洗濯槽内に投入するタイプの機種の場合、洗濯用補助剤投入口１４が必要となるため、操作パネル部１６ｂを制御装置２１とともに上部枠体１４に取り付ける。
【００２０】
これにより、洗濯機の種類やグレードにより、柔軟剤や予約時の液体洗剤を収納するケース１９を設けるタイプの機種と、柔軟剤や予約時の液体洗剤を収納するケース１９を設けず、洗濯用補助剤投入口１４から直接洗濯槽内に投入するタイプの機種の上部枠体１４を同一のものとすることができる。
【００２１】
また、上部枠体１４に、蓋ロック用の操作部材の取付孔１５を形成しているので、蓋ロックをつける機種と、つけない機種などのような場合においても、操作パネル部１６ａ、１６ｂを交換することで、上部枠体１４を共用することができる。
【００２２】
そして、操作パネル部１６ａ、１６ｂを操作面と一体に構成することにより、構成部品を増やすことなく上部枠体１４を共用することができる。
【００２３】
つぎに、制御装置２１の構成について説明する。制御装置２１は、図２に示すように、制御基板２２とこの制御基板２２を内部に収納する制御基板収納容器２３とで構成し、制御基板収納容器２３の外周面に鍔部２４を設けており、図１に示すように、制御基板収納容器２３の外周形状より上部枠体１４の形状をやや大きく構成し、制御装置２１の左右のクリアランスを少なくしている。
【００２４】
また、図１に示すように、上部枠体１４に設けたリブで構成した第１の支持部２５と、操作パネル部１６に設けたリブで構成した第２の支持部２６との間に、制御装置２１の外周面の鍔部２４を挟持し、制御装置２１を固定するよう構成している。ここで、第１の支持部２５を構成するリブは、上部枠体１４の一部に設けてもよく、第２の支持部２６を構成するリブは、操作パネル部１６の一部に設けてもよい。なお、図１における操作パネル部１６は、図２の操作パネル部１６ａ、１６ｂのいずれかである。
【００２５】
これにより、制御装置２１は、従来のように操作パネル１６にビス止め固定することなく、操作パネル部１６と上部枠体１４の間に固定することができ、ねじ固定を廃止できて、生産性を向上してコストを低減することができる。
【００２６】
また、第１の支持部２５は、少なくとも一部を上部枠体１４に設けたリブで構成しているので、制御装置２１を上部枠体１４と操作パネル部１６の間に挟持させるとき、上部枠体１４に設けたリブにより、がたつきを最小限に抑えることができ、組立性を向上することができてコストを低減することができる。
【００２７】
また、第２の支持部２６は、少なくとも一部を操作パネル部１６に設けたリブで構成しているまで、操作パネル部１６に設けたリブにより、制御装置２１を上部枠体１４により確実に固定あるいは押さえ込むことができ、操作性や組立性を向上することができる。
【００２８】
（実施例２）
図４に示すように、制御装置２１ｃは、制御基板２２とこの制御基板２２を内部に収納する制御基板収納容器２３ｃとで構成し、制御基板収納容器２３ｃの外周面に操作パネル部１６ｃに仮止するリブ２４ｃを形成し、操作パネル部１６ｃにリブ２４ｃを仮止めするリブ２７を形成し、操作パネル部１６ｃに仮止めできるよう構成している。他の構成は上記実施例１と同じである。
【００２９】
上記構成において、制御装置２１ｃに設けたリブ２４ｃを操作パネル部１６ｃに形成したリブ２７に係止して、制御装置２１ｃを操作パネル部１６ｃに仮止めし、操作パネル部１６ｃを上部枠体１４ｃに取り付けることにより、上記実施例１と同様に、制御装置２１ｃを操作パネル部１６ｃと上部枠体１４ｃの間に固定することができる。
【００３０】
これにより、制御装置２１ｃを仮止めした状態で操作パネル１６ｃを上部枠体１４ｃに容易に取り付けることができ、安定した組立性を実現でき、生産性を向上できてコストを低減することができる。
【００３１】
（実施例３）
図５に示すように、制御装置２１ｄは、制御基板２２とこの制御基板２２を内部に収納する制御基板収納容器２３ｄとで構成し、制御基板収納容器２３ｄの外周面の一部に操作パネル部１６ｄに仮止する係止部２８を形成し、操作パネル部１６ｄに係止部２８を仮止めする爪部２９を形成し、操作パネル部１６ｄに仮止めできるよう構成している。他の構成は上記実施例２と同じである。
【００３２】
上記構成において、制御装置２１ｄに設けた係止部２８を操作パネル部１６ｄに形成した爪部２９に係止して、制御装置２１ｄを操作パネル部１６ｄに仮止めし、操作パネル部１６ｄを上部枠体（図示せず）に取り付けることにより、上記実施例１または２と同様に、制御装置２１ｄを操作パネル部１６ｄと上部枠体の間に固定することができる。
【００３３】
これにより、制御装置２１ｄの位置決めと固定ができて、操作パネル部１６ｄと上部枠体との間に制御装置２１ｄを挟み込むことが容易となり、ねじ固定を廃止することができ、生産性を向上してコストを低減することができる。
【００３４】
【発明の効果】
以上のように、本発明の請求項１に記載の発明によれば、制御装置の外周面に少なくとも一部に鍔部を設け、鍔部を上部枠体に設けた第１の支持部と操作パネル部に設けた第２の支持部とにより挟持し、制御装置を固定することにより、操作パネル部の内方に制御装置を取り付ける際に、操作パネル部と上部枠体間に制御装置を挟み込んで固定することができ、ねじ固定を廃止できて、生産性を向上してコストを低減することができる。
【図面の簡単な説明】
【図１】本発明の第１の実施例の洗濯機の要部断面図
【図２】同洗濯機の一部切欠した分解斜視図
【図３】同洗濯機の別仕様の要部斜視図
【図４】本発明の第２の実施例の洗濯機の要部断面図
【図５】本発明の第３の実施例の洗濯機の要部断面図
【図６】従来の洗濯機の一部切欠した分解斜視図
【図７】同洗濯機の一部切欠した縦断面図
【符号の説明】
１　洗濯機本体
１４　上部枠体
１６　操作パネル部
２１　制御装置
２２　制御基板
２３　制御基板収納容器
２４　鍔部
２５　第１の支持部
２６　第２の支持部
【図１】
2004081650.tif 000003
【図２】
2004081650.tif 000004
【図３】
2004081650.tif 000005
【図４】
2004081650.tif 000006
【図５】
2004081650.tif 000007
【図６】
2004081650.tif 000008
【図７】
2004081650.tif 000009